【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
無線基地局からゼロパワー（ＺＰ）チャネル状態情報参照信号（ＣＳＩ−ＲＳ）リソース構成情報とＺＰ  ＣＳＩ−ＲＳを受信する受信部を具備し、
前記ＺＰ  ＣＳＩ−ＲＳは、周期的ＺＰ  ＣＳＩ−ＲＳ、セミパーシステントＺＰ  ＣＳＩ−ＲＳまたは非周期的ＺＰ  ＣＳＩ−ＲＳとして送信され、
前記ＺＰ  ＣＳＩ−ＲＳが前記周期的ＺＰ  ＣＳＩ−ＲＳまたは前記セミパーシステントＺＰ  ＣＳＩ−ＲＳとして送信される場合、前記ＺＰ  ＣＳＩ−ＲＳリソース構成情報は、前記周期的ＺＰ  ＣＳＩ−ＲＳまたは前記セミパーシステントＺＰ  ＣＳＩ−ＲＳの周期およびタイミングオフセットを示し、
前記受信部は、前記周期および前記タイミングオフセットを使用して特定したＺＰ  ＣＳＩ−ＲＳリソースに基づいて、前記ＺＰ  ＣＳＩ−ＲＳを受信することを特徴とする、無線通信システムにおけるユーザ装置。
【請求項２】
前記ＺＰ  ＣＳＩ−ＲＳリソース構成情報は、無線リソース制御（ＲＲＣ）シグナリングで送信されることを特徴とする、請求項１に記載のユーザ装置。
【請求項３】
前記受信部は、前記ＺＰ  ＣＳＩ−ＲＳが非周期的ＺＰ  ＣＳＩ−ＲＳとして送信される場合、前記非周期的ＺＰ  ＣＳＩ−ＲＳをトリガするＤＣＩを受信し、
前記受信部は、前記ＤＣＩを使用して特定したＺＰ  ＣＳＩ−ＲＳリソースに基づいて、前記ＺＰ  ＣＳＩ−ＲＳを受信することを特徴とする、請求項１に記載のユーザ装置。
【請求項４】
前記ＺＰ  ＣＳＩ−ＲＳリソース構成情報は、スロット内の前記ＺＰ  ＣＳＩ−ＲＳの位置であって、リソース要素の時間周波数領域内の位置を示すことを特徴とする、請求項１に記載のユーザ装置。
【請求項５】
無線基地局から干渉測定リソース（ＩＭＲ）構成情報とＩＭＲを受信する受信部を具備し、
前記ＩＭＲは、周期的ＩＭＲ、セミパーシステントＩＭＲまたは非周期的ＩＭＲとして送信され、
前記ＩＭＲが前記周期的ＩＭＲまたは前記セミパーシステントＩＭＲとして送信される場合、前記ＩＭＲ構成情報は、前記周期的ＩＭＲまたは前記セミパーシステントＩＭＲの周期およびタイミングオフセットを示し、
前記受信部は、前記周期および前記タイミングオフセットを使用して特定したＩＭＲのためのリソースに基づいて、前記ＩＭＲを受信することを特徴とする、無線通信システムにおけるユーザ装置。
【請求項６】
前記ＩＭＲ構成情報は、無線リソース制御（ＲＲＣ）シグナリングで送信されることを特徴とする、請求項５に記載のユーザ装置。
【請求項７】
前記ＩＭＲ構成情報は、スロット内の前記ＩＭＲの位置であって、リソース要素の時間周波数領域内の位置を示すことを特徴とする、請求項５に記載のユーザ装置。
【請求項８】
ＢＳからＵＥに、ゼロパワー（ＺＰ）チャネル状態情報参照信号（ＣＳＩ−ＲＳ）リソース構成情報を送信するステップと、
前記ＵＥで前記ＢＳからＺＰ  ＣＳＩ−ＲＳを受信するステップと、
前記ＺＰ  ＣＳＩ−ＲＳは、周期的ＺＰ  ＣＳＩ−ＲＳ、セミパーシステントＺＰ  ＣＳＩ−ＲＳまたは非周期的ＺＰ  ＣＳＩ−ＲＳとして送信され、
前記ＺＰ  ＣＳＩ−ＲＳが前記周期的ＺＰ  ＣＳＩ−ＲＳまたは前記セミパーシステントＺＰ  ＣＳＩ−ＲＳとして送信される場合、前記ＺＰ  ＣＳＩ−ＲＳリソース構成情報は、前記周期的ＺＰ  ＣＳＩ−ＲＳまたは前記セミパーシステントＺＰ  ＣＳＩ−ＲＳの周期およびタイミングオフセットを示し、
前記周期および前記タイミングオフセットを使用して特定したＺＰ  ＣＳＩ−ＲＳリソースに基づいて、前記ＺＰ  ＣＳＩ−ＲＳを受信するステップと、を有することを特徴とする、無線通信方法。
【請求項９】
ゼロパワー（ＺＰ）チャネル状態情報参照信号（ＣＳＩ−ＲＳ）リソース構成情報とＺＰ  ＣＳＩ−ＲＳを送信する送信部を具備し、
前記ＺＰ  ＣＳＩ−ＲＳは、周期的ＺＰ  ＣＳＩ−ＲＳ、セミパーシステントＺＰ  ＣＳＩ−ＲＳまたは非周期的ＺＰ  ＣＳＩ−ＲＳとして送信され、
前記ＺＰ  ＣＳＩ−ＲＳが前記周期的ＺＰ  ＣＳＩ−ＲＳまたは前記セミパーシステントＺＰ  ＣＳＩ−ＲＳとして送信される場合、前記ＺＰ  ＣＳＩ−ＲＳリソース構成情報は、前記周期的ＺＰ  ＣＳＩ−ＲＳまたは前記セミパーシステントＺＰ  ＣＳＩ−ＲＳの周期およびタイミングオフセットを示すことを特徴とする、無線基地局。
【請求項１０】
無線基地局と端末を有する無線通信システムであって、
前記端末は、無線基地局からゼロパワー（ＺＰ）チャネル状態情報参照信号（ＣＳＩ−ＲＳ）リソース構成情報とＺＰ  ＣＳＩ−ＲＳを受信する受信部を具備し、
前記無線基地局は、前記ＺＰ  ＣＳＩ−ＲＳリソース構成情報と前記ＺＰ  ＣＳＩ−ＲＳを送信する送信部を具備し、
前記ＺＰ  ＣＳＩ−ＲＳは、周期的ＺＰ  ＣＳＩ−ＲＳ、セミパーシステントＺＰ  ＣＳＩ−ＲＳまたは非周期的ＺＰ  ＣＳＩ−ＲＳとして送信され、
前記ＺＰ  ＣＳＩ−ＲＳが前記周期的ＺＰ  ＣＳＩ−ＲＳまたは前記セミパーシステントＺＰ  ＣＳＩ−ＲＳとして送信される場合、前記ＺＰ  ＣＳＩ−ＲＳリソース構成情報は、前記周期的ＺＰ  ＣＳＩ−ＲＳまたは前記セミパーシステントＺＰ  ＣＳＩ−ＲＳの周期およびタイミングオフセットを示し、
前記端末の前記受信部は、前記周期および前記タイミングオフセットを使用して特定したＺＰ  ＣＳＩ−ＲＳリソースに基づいて、前記ＺＰ  ＣＳＩ−ＲＳを受信することを特徴とする、無線通信システム。
【手続補正２】
【補正対象書類名】明細書
【補正対象項目名】全文
【補正方法】変更
【補正の内容】
【発明の詳細な説明】
【発明の名称】ユーザ装置、無線通信方法、無線基地局及び無線通信システム
【技術分野】
【０００１】
本発明は、一般に、ゼロパワー（ｚｅｒｏ−ｐｏｗｅｒ（ＺＰ））ＣＳＩ参照信号（ＣＳＩ−Ｒｅｆｅｒｅｎｃｅ  Ｓｉｇｎａｌ（ＲＳ））のリソース割り当てにおけるユーザ装置および無線通信方法に関する。
【背景技術】
【０００２】
Ｒｅｌｅａｓｅ  １３（Ｒｅｌ．１３）ＬＴＥ−Ａｄｖａｎｃｅｄ（ＬＴＥ−Ａ）などの既存のＬｏｎｇ  Ｔｅｒｍ  Ｅｖｏｌｕｔｉｏｎ（ＬＴＥ）システムにおいて、ＣＳＩ取得の精度を低下させるセル間干渉に対処するため、ゼロパワー（ＺＰ）ＣＳＩ−ＲＳをサポートするＣＳＩ取得方式が導入された。ユーザ装置（ＵＥ）にＺＰ  ＣＳＩ−ＲＳリソースが設定されている場合、ＵＥはレートマッチングがリソースエレメント（ＲＥ）に適用され、例えば、物理下り共有チャネル（Ｐｈｙｓｉｃａｌ  Ｄｏｗｎｌｉｎｋ  Ｓｈａｒｅｄ  Ｃｈａｎｎｅｌ（ＰＤＳＣＨ））がＺＰ  ＣＳＩ−ＲＳ用のＲＥには多重されないと想定する。通常、ＺＰ  ＣＳＩ−ＲＳリソースは隣接セルのノンゼロパワー（ｎｏｎ−ｚｅｒｏ  ｐｏｗｅｒ（ＮＺＰ））ＣＳＩ−ＲＳリソースと整合するようにスケジュールされる。さらに、Ｒｅｌ．１３  ＬＴＥ規格は周期的ＣＳＩ−ＲＳ送信のみをサポートする。ＺＰ  ＣＳＩ−ＲＳリソースは干渉測定リソース(ｉｎｔｅｒｆｅｒｅｎｃｅ  ｍｅａｓｕｒｅｍｅｎｔ  ｒｅｓｏｕｒｃｅ（ＩＭＲ）)としても使用される。例えば、ＵＥはＺＰ  ＣＳＩ−ＲＳリソース要素（ＲＥ）を使用してすべての干渉電力を測定できる。この場合、所望の信号はミュートされる。
【先行技術文献】
【非特許文献】
【０００３】
【非特許文献１】３ＧＰＰ  ＴＳ  ３６．２１１  Ｖ１４．１．０
【非特許文献２】３ＧＰＰ  ＴＳ  ３６．２１３  Ｖ１４．１．０
【発明の概要】
【発明が解決しようとする課題】
【０００４】
一方で、Ｎｅｗ  Ｒａｄｉｏ（ＮＲ）（第５世代（５Ｇ））システムでは、周期的／非周期的／セミパーシステントＣＳＩ−ＲＳ送信などの、ＮＺＰ  ＣＳＩ−ＲＳのさらなる柔軟性がサポートされている。その結果、ＣＳＩ−ＲＳが隣接セルに送信されるかどうかが動的に変更される。ＮＺＰ  ＣＳＩ−ＲＳの効率的なリソース利用を実現するためには、ＺＰ  ＣＳＩ−ＲＳリソースにも、さらなる柔軟性が要求される。
【０００５】
さらに、既存のＬＴＥシステムの従来のリソース構成では、ＺＰ  ＣＳＩ−ＲＳリソースは４ポートＣＳＩ−ＲＳのＲＥを使用する。したがって、ＮＲシステムが従来のリソース構成を適用する場合、ＺＰ  ＣＳＩ−ＲＳリソースのスケジューリングが制限されるおそれがある。
【課題を解決するための手段】
【０００６】
本発明の１つ以上の実施形態は、基地局（ｂａｓｅ  ｓｔａｔｉｏｎ（ＢＳ））からゼロパワー（ＺＰ）チャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ（ＣＳＩ−ＲＳ））リソース構成情報およびＺＰ  ＣＳＩ−ＲＳを受信する受信機を含む、無線通信システムにおけるユーザ装置に関する。ＺＰ  ＣＳＩ−ＲＳは、周期的ＺＰ  ＣＳＩ−ＲＳ、セミパーシステントＺＰ  ＣＳＩ−ＲＳまたは非周期的ＺＰ  ＣＳＩ−ＲＳとして送信される。ＺＰ  ＣＳＩ−ＲＳが周期的ＺＰ  ＣＳＩ−ＲＳまたはセミパーシステントＺＰ  ＣＳＩ−ＲＳとして送信される場合、ＺＰ  ＣＳＩ−ＲＳリソース構成情報は、周期的ＺＰ  ＣＳＩ−ＲＳまたはセミパーシステントＺＰ  ＣＳＩ−ＲＳの周期およびタイミングオフセットを示す。受信機は、周期およびタイミングオフセットを使用して特定したＺＰ  ＣＳＩ−ＲＳリソースに基づいて、ＺＰ  ＣＳＩ−ＲＳを受信する。
【０００７】
本発明の１つ以上の実施形態は、基地局（ＢＳ）から干渉測定リソース（ＩＭＲ）構成情報およびＩＭＲを受信する受信機を含む、無線通信システムにおけるユーザ装置に関する。ＺＰ  ＣＳＩ−ＲＳは周期的ＩＭＲ、セミパーシステントＩＭＲまたは非周期的ＩＭＲとして送信される。ＩＭＲが周期的ＩＭＲまたはセミパーシステントＩＭＲとして送信される場合、ＩＭＲリソース構成情報は、周期的ＩＭＲまたはセミパーシステントＩＭＲの周期およびタイミングオフセットを示す。受信機は、周期およびタイミングオフセットを使用して特定したＩＭＲリソースに基づいて、ＩＭＲを受信する。
【０００８】
本発明の１つ以上の実施形態は、ＢＳからＵＥへ、ＺＰ  ＣＳＩ−ＲＳリソース構成情報を送信することを含む、無線通信システムにおけるＣＳＩを取得する方法に関する。
【発明の効果】
【０００９】
本発明の１つ以上の実施形態によれば、ＺＰ  ＣＳＩ−ＲＳリソースのスケジューリングの柔軟性の向上を実現できる。
【図面の簡単な説明】
【００１０】
【図１Ａ】本発明の１つ以上の実施形態による、無線通信システムの構成を示す図である。
【図１Ｂ】本発明の１つ以上の実施形態による、無線通信システムの構成を示す図である。
【図２】本発明の１つ以上の実施形態による、リソースブロック（ＲＢ）におけるＣＳＩ−ＲＳアンテナポートに割り当てられるリソースエレメント（ＲＥ）を示す図である。
【図３Ａ】本発明の１つ以上の実施形態による、通常のサイクリックプレフィックスのＣＳＩ−ＲＳ構成からＲＥへのマッピングを示す図である。
【図３Ｂ】本発明の１つ以上の実施形態による、拡張サイクリックプレフィックスのＣＳＩ−ＲＳ構成からＲＥへのマッピングを示す図である。
【図４】本発明の１つ以上の実施形態による、操作例を示すシーケンス図である。
【図５】本発明の１つ以上の実施形態による、ＺＰ  ＣＳＩ−ＲＳリソース構成情報の例を示す図である。
【図６】本発明の１つ以上の実施形態による、ＺＰ  ＣＳＩ−ＲＳリソースの例を示す図である。
【図７】本発明の１つ以上の実施形態の別の例による、操作例を示すシーケンス図である。
【図８】本発明の１つ以上の実施形態による、ＩＭＲ構成情報の例を示す図である。
【図９】本発明の１つ以上の実施形態による、ＢＳの概略構成を示す図である。
【図１０】本発明の１つ以上の実施形態による、ＵＥの概略構成を示すシーケンス図である。
【発明を実施するための形態】
【００１１】
以下、本発明の実施の形態について図面を参照しながら詳細に説明する。本発明の実施形態では、本発明のより完全な理解を提供するために多数の具体的な詳細が説明される。しかし、これらの特定の詳細なしで本発明を実施できることは、当業者には明らかであろう。他の例では、本発明を曖昧にすることを避けるために、周知の特徴は詳細に説明されていない。
【００１２】
図１Ａおよび１Ｂは、本発明の１つ以上の実施形態による、無線通信システム１を示す図である。無線通信システム１は、ユーザ装置（ＵＥ）１０と、基地局（ＢＳ）２０Ａおよび２０Ｂと、を含む。無線通信システム１はＮｅｗ  Ｒａｄｉｏ（ＮＲ）システムであってもよい。無線通信システム１は、本明細書で開示される特定の構成に限定されず、ＬＴＥ／ＬＴＥ−Ａｄｖａｎｃｅｄ（ＬＴＥ−Ａ）システムなどの任意のタイプの無線通信システムであってもよい。
【００１３】
ＢＳ２０は、ＵＥ１０とＢＳ２０のセル内で上りリンク（ＵＬ）信号および下りリンク（ＤＬ）信号を通信してもよい。ＤＬ信号およびＵＬ信号は、制御情報およびユーザデータを含み得る。ＢＳ２０は、ｇＮｏｄｅＢ（ｇＮＢ）であってもよい。
【００１４】
ＢＳ２０は、アンテナ、隣接ＢＳ２０と通信する通信インターフェース（例えば、Ｘ２インターフェース）、コアネットワークと通信する通信インターフェース（例えば、Ｓ１インターフェース）、および、ＵＥ１０との送受信信号を処理するプロセッサまたは回路などのＣＰＵ（中央処理装置）を含む。ＢＳ２０の動作は、プロセッサがメモリに格納されたデータおよびプログラムを処理または実行することにより実装され得る。しかし、ＢＳ２０は、上述のハードウェア構成に限定されず、当業者によって理解されるように、他の適切なハードウェア構成によって実現されてもよい。多数のＢＳ２０が、無線通信システム１のより広いサービスエリアをカバーするように配置され得る。
【００１５】
ＵＥ１０はＢＳ２０とＭＩＭＯ技術を使用して制御情報およびユーザデータを含むＤＬ信号およびＵＬ信号を通信してもよい。ＵＥ１０は、移動局、スマートフォン、携帯電話、タブレット、モバイルルーター、またはウェアラブルデバイスなどの無線通信機能を有する情報処理装置であってもよい。
【００１６】
ＵＥ１０は、プロセッサなどのＣＰＵ、ＲＡＭ（Ｒａｎｄｏｍ  Ａｃｃｅｓｓ  Ｍｅｍｏｒｙ）、フラッシュメモリおよびＢＳ２０とＵＥ１０との間で無線信号を送受信するための無線通信装置を含む。例えば、後述するＵＥ１０の動作は、メモリに格納されたデータおよびプログラムを、処理または実行するＣＰＵによって実現されてもよい。しかし、ＵＥ１０は、上述したハードウェア構成に限定されるものではなく、例えば、以下に説明する処理を実現するための回路で構成されてもよい。
【００１７】
本発明の１つ以上の実施形態において、無線通信システム１は、高精度のチャネル状態情報（Ｃｈａｎｎｅｌ  Ｓｔａｔｅ  Ｉｎｆｏｒｍａｔｉｏｎ（ＣＳＩ））推定のためにゼロパワー（ＺＰ）ＣＳＩ−ＲＳを使用するＣＳＩ取得方式をサポートする。ＺＰ  ＣＳＩ−ＲＳとして指定されたリソースエレメント（ＲＥ）はミュートされてもよい。これにより、ミュートされたＲＥのＣＳＩ推定の精度を向上させることができる。例えば、ノンゼロパワー（ＮＺＰ）ＣＳＩ−ＲＳはサービングセルから送信され、いずれの信号／チャネルも隣接セルから送信されなくてもよい（ＺＰ  ＣＳＩ−ＲＳは隣接セルに適用され得る）。図１Ａに示すように、ＢＳ２０Ａ（サービングセル）は、ＮＺＰ  ＣＳＩ−ＲＳを送信してもよい。ＢＳ２０Ｂ（隣接セル）は、ＺＰ  ＣＳＩ−ＲＳ（ミューティング）を送信してもよい。次に、ＵＥ１０は、ＢＳ２０Ａ（サービングセル）に、ＮＺＰ  ＣＳＩ−ＲＳに応答してＣＳＩフィードバックを送信してもよい。
【００１８】
本発明の１つ以上の実施形態において、無線通信システム１は、柔軟な干渉測定のためにＺＰ  ＣＳＩ−ＲＳを使用する干渉測定をサポートする。ＺＰ  ＣＳＩ−ＲＳとして指定されたＲＥはミュートされてもよい。これにより、ミュートされたＲＥの干渉測定の柔軟性を向上させることができる。例えば、いずれの信号／チャネルもサービングセルから送信されなくてもよく、いずれの信号／チャネルが隣接セルから送信されてもよい（ＺＰ  ＣＳＩ−ＲＳはサービングセルに適用され得る）。図１Ｂに示すように、ＢＳ２０ＡはＺＰ  ＣＳＩ−ＲＳを多重化して送信してもよい。ＢＳ２０Ｂ（隣接セル）は、ＤＬデータ信号を送信してもよい。次に、ＵＥ１０は、ＢＳ２０Ａ（サービングセル）にＣＳＩフィードバックを送信してもよい（あるいは、サービングセルからのＺＰ  ＣＳＩ−ＲＳと隣接セルからのＤＬデータ信号は互いに干渉する）。ここで、ＺＰ  ＣＳＩ−ＲＳの使用法は、セル間干渉の測定に限定されず、他のいくつかの測定、例えば、マルチユーザ（ＭＵ）−ＭＩＭＯのユーザ間干渉測定に適用できる。さらに、ＺＰ  ＣＳＩ−ＲＳは下りリンク信号の測定だけでなく、上りリンク信号またはサイドリンク信号の測定にも使用される。
【００１９】
次に、本発明の１つ以上の実施形態によるＣＳＩ−ＲＳリソースについて、図２、３Ａおよび３Ｂを参照し、以下で説明する。
【００２０】
図２は、本発明の１つ以上の実施形態による通常のサイクリックプレフィックスおよび拡張サイクリックプレフィックスのリソースブロック（ＲＢ）における、ＣＳＩ−ＲＳアンテナポートに割り当てられたＲＥを示す図である。図２に示すように、１つの軸は直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルを示し、他の軸はサブキャリアを示す。各ブロックはＲＢのＲＥに対応し、ＡＰ数を有するハッチングされたＲＥは、ＣＳＩ−ＲＳ  ＡＰに割り当てられる。さらに、図２に示すように、ＢＳが２つのＣＳＩ−ＲＳ  ＡＰを示す場合、２つのＲＥがＣＳＩ−ＲＳ  ＡＰに割り当てられる。さらに、ＢＳが４つのＣＳＩ−ＲＳ  ＡＰを示す場合、４つのＲＥがＣＳＩ−ＲＳ  ＡＰに割り当てられ、ＢＳが８つのＣＳＩ−ＲＳ  ＡＰを示す場合、８つのＲＥがＣＳＩ−ＲＳ  ＡＰに割り当てられる。さらに、既存のＬＴＥ規格（例えば、Ｒｅｌ．１３  ＬＴＥ）における従来のＺＰ  ＣＳＩ−ＲＳリソースは、４ポートＣＳＩ−ＲＳにマッピングされたＲＥを使用し、通知される。つまり、従来のＺＰ  ＣＳＩ−ＲＳリソースは、４つのＲＥ単位でのみ示すことができる。
【００２１】
図３Ａおよび３Ｂは、本発明の１つ以上の実施形態による、通常のサイクリックプレフィックスおよび拡張サイクリックプレフィックスそれぞれのＣＳＩ−ＲＳ構成からＲＥへのマッピングを示す。図３Ａおよび３Ｂに示すテーブル（ＣＳＩ−ＲＳ構成）は、ＲＢ内のＲＥへのＣＳＩ−ＲＳのマッピングをＵＥに報告するために使用される。図３Ａおよび３Ｂにおけるテーブル（ＣＳＩ−ＲＳ構成）は、３ＧＰＰ  ＴＳ  ３６．２１１のテーブル６．１０．５．２−１および６．１０．５．２−１のそれぞれで定義される。
【００２２】
例えば、図２に示すように通常のサイクリックプレフィックスに対し、２つのＣＳＩ−ＲＳをマッピングする場合、ＣＳＩ−ＲＳ  ＡＰに割り当てられた２０ペアのＲＥが示される。図３Ａは、ＣＳＩ−ＲＳ構成（マッピング情報）のインデックス０−１９を含む、フレーム構造タイプ１および２に対応するテーブルを示す。ＢＳはＵＥに、図２のＣＳＩ−ＲＳ  ＡＰに割り当てられた２０ペアのＲＥのうちのどれが使用されるかを報告するために、図３ＡのＣＳＩ−ＲＳ構成のインデックス０−１９の１つを送信する。
【００２３】
上記のように、Ｒｅｌ．１３  ＬＴＥにおける従来のＺＰ  ＣＳＩ−ＲＳリソースは、４ポートＣＳＩ−ＲＳのＲＥマッピングのみをサポートする。一方、本発明の１つ以上の実施形態によるＺＰ  ＣＳＩ−ＲＳリソースは、柔軟で構成可能なＺＰ  ＣＳＩ−ＲＳリソースであってもよい。すなわち、本発明の１つ以上の実施形態によるＺＰ  ＣＳＩ−ＲＳリソースは、４ポートＣＳＩ−ＲＳのＲＥマッピングに限定されなくてもよい。
【００２４】
図４は、本発明の１つ以上の実施形態による操作例を示すシーケンス図である。
【００２５】
図４に示すように、ステップＳ１１で、ＢＳ２０はＵＥ１０に無線リソース制御（Ｒａｄｉｏ  Ｒｅｓｏｕｒｃｅ  Ｃｏｎｔｒｏｌ（ＲＲＣ））シグナリングなどの上位レイヤシグナリングでＺＰ  ＣＳＩ−ＲＳリソース構成情報を送信してもよい。図５に示すように、ＺＰ  ＣＳＩ−ＲＳリソース構成情報は、リソースインデックス、ＡＰ数、多重化タイミング、多重化周波数位置、参照信号（Ｒｅｆｅｒｅｎｃｅ  Ｓｉｇｎａｌ（ＲＳ））タイプの少なくとも１つを含む。
【００２６】
図４に戻り、ステップＳ１２で、ＢＳ２０はＵＥ１０に周期的ＺＰ  ＣＳＩ−ＲＳ、セミパーシステントＺＰ  ＣＳＩ−ＲＳまたは非周期的ＺＰ  ＣＳＩ−ＲＳを送信してもよい。
【００２７】
ステップＳ１３で、ＵＥ１０は受信したＺＰ  ＣＳＩ−ＲＳリソース構成情報を使用してＺＰ  ＣＳＩ−ＲＳリソースを想定（特定）してもよい。次に、ステップＳ１４で、ＵＥ１０は想定したＺＰ  ＣＳＩ−ＲＳリソースに基づいて、ＺＰ  ＣＳＩ−ＲＳを受信してもよい。
【００２８】
以下、ＺＰ  ＣＳＩ−ＲＳリソース構成情報について詳細に説明する。
【００２９】
（リソースインデックス）
リソースインデックスは、各ＺＰ  ＣＳＩ−ＲＳリソースを識別するインデックスである。
【００３０】
（ＡＰ数）
本発明の１つ以上の実施形態において、ＡＰ数は、ＺＰ  ＣＳＩ−ＲＳに使用されるＡＰ数を示す。図５に示すように、ＡＰ数は、１、２、４、８、…であってもよい。したがって、本発明の１つ以上の実施形態によれば、ＺＰ  ＣＳＩ−ＲＳリソースは４ポートＣＳＩ−ＲＳのＲＥマッピングに限定されず、１／２／８ポートＣＳＩ−ＲＳ  ＺＰ  ＣＳＩ−ＲＳのＲＥマッピングであってもよい。したがって、ＵＥ１０は、ＺＰ  ＣＳＩ−ＲＳのためのＡＰ数で構成されてもよい。
【００３１】
（多重化タイミング）
本発明の１つ以上の実施形態によれば、ＺＰ  ＣＳＩ−ＲＳは、周期的ＺＰ  ＣＳＩ−ＲＳ、セミパーシステントＺＰ  ＣＳＩ−ＲＳまたは非周期的ＺＰ  ＣＳＩ−ＲＳとして送信されてもよい。本発明の１つ以上の実施形態において、多重化タイミングは、“周期的”、“セミパーシステント”および“非周期的”などの時間領域の動作を示す。
【００３２】
ＺＰ  ＣＳＩ−ＲＳリソース構成情報の多重化タイミングは、周期的ＺＰ  ＣＳＩ−ＲＳまたはセミパーシステントＺＰ  ＣＳＩ−ＲＳのための周期およびタイミングオフセット（スロットオフセット）を特定する。
【００３３】
ＢＳ２０は、ＵＥ１０に、ＲＲＣシグナリングを使用して、周期的またはセミパーシステントＺＰ  ＣＳＩ−ＲＳのための周期およびタイミングオフセットを特定する多重化タイミングを含むＺＰ  ＣＳＩ−ＲＳリソース構成情報を送信してもよい。ＵＥは、周期およびタイミングオフセットを使用して特定したＺＰ  ＣＳＩ−ＲＳリソースに基づいて、周期的またはセミパーシステントＺＰ  ＣＳＩ−ＲＳを受信する。
【００３４】
例えば、ＺＰ  ＣＳＩ−ＲＳリソースのアクティベーション／ディアクティベーションは、Ｍｅｄｉａ  Ａｃｃｅｓｓ  Ｃｏｎｔｒｏｌ  Ｃｏｎｔｒｏｌ  Ｅｌｅｍｅｎｔ（ＭＡＣ  ＣＥ）および下り制御情報（Ｄｏｗｎｌｉｎｋ  Ｃｏｎｔｒｏｌ  Ｉｎｆｏｒｍａｔｉｏｎ（ＤＣＩ））の少なくとも１つを用いてトリガされてもよい。
【００３５】
例えば、非周期的ＺＰ  ＣＳＩ−ＲＳが送信される場合、ＺＰ  ＣＳＩ−ＲＳリソースのオン／オフはＭＡＣ  ＣＥおよびＤＣＩの少なくとも１つを用いてトリガされてもよい。ＵＥ１０は、非周期的ＺＰ  ＣＳＩ−ＲＳをトリガするＤＣＩを受信し、ＤＣＩを用いて特定したＺＰ  ＣＳＩ−ＲＳリソースに基づいて、非周期的ＺＰ  ＣＳＩ−ＲＳを受信する。
【００３６】
（多重化周波数位置）
ＺＰ  ＣＳＩ−ＲＳの多重化周波数帯域は、ＺＰ  ＣＳＩ−ＲＳが多重化される周波数帯域であってもよい。ＺＰ  ＣＳＩ−ＲＳの多重化周波数帯域は、ワイドバンド、サブバンドまたは部分帯域として通知されてもよい。本発明の１つ以上の実施形態によれば、ＺＰ  ＣＳＩ−ＲＳの多重化周波数帯域は、ＵＥ１０に通知されてもよい。
【００３７】
ＺＰ  ＣＳＩ−ＲＳの周波数密度も設定できる。例えば、ＵＥ１０は、密度を増加または減少させるように構成できる。
【００３８】
（ＲＥ多重化位置）
ＣＳＩ−ＲＳ構成は、スロット（サブフレーム）内のＺＰ  ＣＳＩ−ＲＳに関連付けられたＲＥの時間／周波数多重化位置を示す。時間／周波数多重化位置は、スロット内の時間／周波数多重化によりＺＰ  ＣＳＩ−ＲＳにマッピングされたＲＥの位置であってもよい。したがって、ＺＰ  ＣＳＩ−ＲＳリソース構成情報は、スロット内のＺＰ  ＣＳＩ−ＲＳにマッピングされたリソース要素の時間周波数領域内の位置を示す。本発明の１つ以上の実施形態によれば、ＢＳ２０はＵＥ１０に、ＺＰ  ＣＳＩ−ＲＳのＣＳＩ−ＲＳ構成を通知してもよい。
【００３９】
（ＲＳタイプ）
図５に示すように、ＲＳタイプでは、例えば、同期信号（Ｓｙｎｃｈｒｏｎｉｚａｔｉｏｎ  Ｓｉｇｎａｌ（ＳＳ））、メジャメントＲＳ／モビリティＲＳ（ＭＲＳ）、復調用参照信号（Ｄｅｍｏｄｕｌａｔｉｏｎ−Ｒｅｆｅｒｅｎｃｅ  Ｓｉｇｎａｌ（ＤＭ−ＲＳ））およびＣＳＩ−ＲＳ以外のサウンディング参照信号（Ｓｏｕｎｄｉｎｇ  Ｒｅｆｅｒｅｎｃｅ  Ｓｉｇｎａｌ（ＳＲＳ））が指定されてもよい。ＺＰ  ＣＳＩ−ＲＳリソースは、ＳＳ、ＭＲＳ、ＤＭ−ＲＳおよびＳＲＳに使用される構成で設定されてもよい。
【００４０】
例えば、ＳＳがＲＳタイプで指定されている場合、ＳＳに使用されるＡＰ数、多重化タイミングおよび多重化周波数位置が、ＺＰ  ＣＳＩ−ＲＳリソースに指定および適用される（ＺＰ  ＳＳリソース、ＺＰ  ＲＳリソースまたはＺＰリソースと呼んでもよい）。
【００４１】
さらに、ＳＲＳのＲＥ多重化位置がＺＰリソースに適用される場合、ｃｏｍｂ情報および周波数ホッピング情報は、ＵＥ１０に通知されてもよい。
【００４２】
したがって、本発明の１つ以上の実施形態によれば、図６で示すように、ＺＰリソースにおいて、リソースインデックス“１”、“２”および“３”にそれぞれ対応するリソース１、２および３は、柔軟なパラメータを有し得る。
【００４３】
図６において、例えば、リソース１では、“４ポート”、“ＣＳＩ−ＲＳ”、“周期的（１０ミリ秒の周期および２ミリ秒のサブフレームオフセット）”および“ワイドバンド”は、ＡＰ数、ＲＳタイプ、多重化タイミングおよび多重化周波数位置をそれぞれ示す。さらに、リソース１のＺＰリソースは、ＲＲＣシグナリングを用いて通知されてもよい。
【００４４】
図６において、例えば、リソース２では、“２ポート”、“ＣＳＩ−ＲＳ”、“非周期的”および“サブバンド（インデックスｘ）”は、ＡＰ数、ＲＳタイプ、多重化タイミングおよび多重化周波数位置をそれぞれ示す。さらに、リソース２のＺＰリソースは、可能な予備的ＲＲＣ構成で動的にトリガされてもよい。
【００４５】
図６において、例えば、リソース３では、“ＤＭ−ＲＳ（０−３ＡＰ）”、“周期的”および“ワイドバンド”は、ＲＳタイプ、多重化タイミングおよび多重化周波数位置をそれぞれ示す。ＤＭ−ＲＳに使用されるＡＰ数は、ＺＰ  ＣＳＩ−ＲＳ用のＡＰ数に適用されてもよい。さらに、リソース３のＺＰリソースは、ＲＲＣシグナリングを用いて通知されてもよい。
【００４６】
（ＮＺＰ  ＳＳ／ＲＳリソースで構成されるＺＰ  ＣＳＩ−ＲＳリソース）
本発明の１つ以上の実施形態によれば、ＺＰリソースは、ＮＺＰ  ＣＳＩ−ＲＳリソース以外のＮＺＰ  ＳＳ／ＲＳリソースの構成情報で設定されてもよい。
【００４７】
（ＺＰリソースのグループ化）
本発明の１つ以上の実施形態によれば、複数のＺＰリソースは、グループ化されてもよい。例えば、ＺＰリソースのアクティベーション／ディアクティベーションおよびオン／オフは、各グループに動的にトリガされ得る。
【００４８】
さらに、本発明の１つ以上の実施形態によれば、レートマッチングがＺＰリソース上でＰＤＳＣＨを多重化せずに実行されてもよい。さらに、本発明の１つ以上の実施形態によれば、ＺＰリソースのＰＤＳＣＨは、レートマッチングおよびパンクチャされてもよい。レートマッチングおよびパンクチャの方法は、例えば、ＲＲＣシグナリングを用いて切り替えられてもよい。
【００４９】
したがって、本発明の１つ以上の実施形態によれば、ＺＰリソースのスケジューリングの柔軟性の向上が実現できる。
【００５０】
（別の例）
別の例として、上記の柔軟なＺＰリソース割り当ての方法を干渉測定リソース（Ｉｎｔｅｒｆｅｒｅｎｃｅ  Ｍｅａｓｕｒｅｍｅｎｔ  Ｒｅｓｏｕｒｃｅ（ＩＭＲ））に適用してもよい。例えば、ＩＭＲは、リソースインデックス、ＡＰ数、多重化タイミング、多重化周波数位置、ＲＥ多重化位置およびＲＳタイプの少なくとも１つで構成され得る。つまり、ＩＭＲ構成情報は、リソースインデックス、ＡＰ数、多重化タイミング、多重化周波数位置、ＲＥ多重化位置およびＲＳタイプの少なくとも１つを含む。例えば、ＩＭＲは、動的にトリガされ得る。
【００５１】
図７は、本発明の別の例の１つ以上の実施形態による、操作例を示すシーケンス図である。
【００５２】
図７に示すように、ステップＳ２１でＢＳ２０は、ＵＥ１０にＲＲＣシグナリングなどの上位レイヤシグナリングを介してＩＭＲ構成情報を送信してもよい。図８に示すように、ＩＭＲ構成情報は、リソースインデックス、ＡＰ数、多重化タイミング、多重化周波数位置、ＲＥ多重化位置およびＲＳタイプの少なくとも１つを含む。
【００５３】
図７に戻り、ステップＳ２２でＢＳ２０は、ＵＥ１０に周期的ＩＭＲ、セミパーシステントＩＭＲまたは非周期的ＩＭＲを送信してもよい。
【００５４】
ステップＳ２３で、ＵＥ１０は、受信したＩＭＲリソース構成情報を用いてＩＭＲリソースを想定（特定）してもよい。次に、ステップＳ１４でＵＥ１０は、想定したＩＭＲリソースに基づいてＩＭＲを受信してもよい。
【００５５】
例えば、ＢＳ２０はＵＥ１０に、ＲＲＣシグナリングを用いてＩＭＲ構成情報を送信する。例えば、ＩＭＲが周期的ＩＭＲまたはセミパーシステントＩＭＲとして送信される場合、ＩＭＲ構成情報は、周期的ＩＭＲまたはセミパーシステントＩＭＲの周期およびタイミングオフセットを指定する。
【００５６】
例えば、ＩＭＲがセミパーシステントＩＭＲとして送信される場合、ＵＥ１０は、セミパーシステントＩＭＲのアクティベーション／ディアクティベーションをトリガするＭＡＣ  ＣＥおよびＤＣＩの少なくとも１つを受信する。
【００５７】
例えば、ＩＭＲが非周期的ＩＭＲとして送信される場合、ＵＥ１０は、非周期的ＩＭＲをトリガするＤＣＩを受信する。ＵＥ１０は、ＤＣＩを用いて特定したＩＭＲリソースに基づいてＩＭＲを受信する。
【００５８】
例えば、ＩＭＲリソース構成情報はＩＭＲが多重化される周波数帯域を示す。周波数帯域は、ワイドバンド、サブバンドまたは部分帯域であってもよい。例えば、ＩＭＲリソース構成情報は、ＩＭＲの周波数密度を示す。例えば、ＩＭＲリソース構成情報は、スロット内のＩＭＲがマッピングされるリソース要素の時間周波数領域の位置を示す。例えば、ＩＭＲリソース構成情報は、ＩＭＲの送信に使用されるＢＳのアンテナポート数を示す。
【００５９】
例えば、ＩＭＲのＩＭＲリソースは、物理下りリンク共有チャネル（Ｐｈｙｓｉｃａｌ  Ｄｏｗｎｌｉｎｋ  Ｓｈａｒｅｄ  Ｃｈａｎｎｅｌ（ＰＤＳＣＨ））上で多重化されず、ＩＭＲリソースはレートマッチングされる。
【００６０】
（基地局の構成）
以下、図９を参照して、本発明の１つ以上の実施形態によるＢＳ２０について説明する。図９は、本発明の１つ以上の実施形態によるＢＳ２０の概略構成を示す図である。ＢＳ２０は、複数のアンテナ（アンテナ要素グループ）２０１、アンプ部２０２、送受信部（送信部／受信部）２０３、ベースバンド信号処理部２０４、呼処理部２０５および伝送路インタフェース２０６を含んでもよい。
【００６１】
ＢＳ２０からＵＥ２０へＤＬで送信されるユーザデータは、コアネットワーク３０から伝送路インタフェース２０６を介してベースバンド信号処理部２０４に入力される。
【００６２】
ベースバンド信号処理部２０４では、信号は、Ｐａｃｋｅｔ  Ｄａｔａ  Ｃｏｎｖｅｒｇｅｎｃｅ  Ｐｒｏｔｏｃｏｌ（ＰＤＣＰ）レイヤの処理、ユーザデータの分割、結合および無線リンク制御（Ｒａｄｉｏ  Ｌｉｎｋ  Ｃｏｎｔｒｏｌ（ＲＬＣ））再送制御の伝送処理などのＲＬＣレイヤの伝送処理、例えば、ＨＡＲＱ伝送処理、スケジューリング、伝送フォーマット選択、チャネル符号化、逆高速フーリエ変換（ｉｎｖｅｒｓｅ  ｆａｓｔ  Ｆｏｕｒｉｅｒ  ｔｒａｎｓｆｏｒｍ（ＩＦＦＴ））処理およびプリコーディング処理を含む、Ｍｅｄｉｕｍ  Ａｃｃｅｓｓ  Ｃｏｎｔｒｏｌ（ＭＡＣ）再送制御が行われ、各送受信部２０３に転送される。ＤＬ制御チャネルの信号に関しても、チャネル符号化および逆高速フーリエ変換を含む伝送処理が行われ、各送受信部２０３に転送される。
【００６３】
ベースバンド信号処理部２０４は、上位レイヤシグナリング（例えば、ＲＲＣシグナリングおよびブロードキャストチャネル）によってセル内で通信するための制御情報（システム情報）を各ＵＥ１０に通知する。セル内で通信するための情報には、例えば、ＵＬまたはＤＬシステム帯域を含む。
【００６４】
各送受信部２０３では、アンテナ毎にプリコーディングされ、ベースバンド信号処理部２０４から出力されたベースバンド信号は、無線周波数帯域への周波数変換処理を受ける。アンプ部２０２は、周波数変換された無線周波数信号を増幅し、得られた信号がアンテナ２０１から送信される。
【００６５】
ＵＥ１０からＢＳ２０にＵＬで送信されるデータに関して、無線周波数信号は、各アンテナ２０１で受信され、アンプ部２０２で増幅され、周波数変換および送受信部２０３でベースバンド信号に変換され、ベースバンド信号処理部２０４に入力される。
【００６６】
ベースバンド信号処理部２０４は、受信したベースバンド信号に含まれるユーザデータに対して、ＦＦＴ処理、ＩＤＦＴ処理、誤り訂正復号、ＭＡＣ再送制御の受信処理およびＲＬＣレイヤ、ＰＤＣＰレイヤの受信処理を行う。次に、得られた信号は、伝送路インタフェース２０６を介してコアネットワーク３０に転送される。呼処理部２０５は、通信チャネルの設定および解放などの呼処理を行い、ＢＳ２０の状態を管理し、無線リソースを管理する。
【００６７】
（ユーザ装置の構成）
以下、図１０を参照して、本発明の１つ以上の実施形態によるＵＥ１０について説明する。図１０は、本発明の１つ以上の実施形態による、ＵＥ１０の概略構成である。ＵＥ１０は、複数のＵＥアンテナ１０１、アンプ部１０２、送受信部（送信部／受信部）１０３１を含む回路１０３、制御部１０４およびアプリケーション部１０５を有する。
【００６８】
ＤＬに関しては、ＵＥアンテナ１０１で受信した無線周波数信号は、それぞれのアンプ部で増幅され、送受信部１０３１でベースバンド信号に周波数変換される。これらのベースバンド信号は、制御部１０４で、ＦＦＴ処理、誤り訂正復号および再送制御などの受信処理が行われる。ＤＬユーザデータは、アプリケーション部１０５に転送される。アプリケーション部１０５は、物理レイヤおよびＭＡＣレイヤよりも上位のレイヤに関する処理を実行する。下りリンクデータにおいて、ブロードキャスト情報も、アプリケーション部１０５に転送される。
【００６９】
一方で、ＵＬユーザデータは、アプリケーション部１０５から制御部１０４に入力される。制御部１０４では、再送制御（Ｈｙｂｒｉｄ  ＡＲＱ）伝送処理、チャネル符号化、復号、ＤＦＴ処理およびＩＦＦＴ処理などが実行され、得られた信号は各送受信部１０３１に転送される。送受信部１０３１では、制御部１０４から出力されたベースバンド信号は、無線周波数帯域に変換される。その後、周波数変換された無線周波数信号はアンプ部１０２で増幅された後、アンテナ１０１から送信される。
【００７０】
（別の例）
本発明の１つ以上の実施形態は、上りリンクおよび下りリンクのそれぞれに独立して用いられてもよい。本発明の１つ以上の実施形態は、上りリンクおよび下りリンクの両方に共通して用いられてもよい。
【００７１】
本開示は、ＮＲに基づくチャネルおよびシグナリング方式の例を主に説明したが、本発明はそれに限定されない。本発明の１つ以上の実施形態は、ＬＴＥ／ＬＴＥ−Ａおよび新しく定義されたチャネル、シグナリング方式などと同じ機能を有する別のチャネルおよびシグナリング方式に適用してもよい。
【００７２】
本開示は、ＲＳに基づくチャネル推定およびＣＳＩフィードバック方式の例を主に説明したが、本発明はそれに限定されない。本発明の１つ以上の実施形態は、ＣＳＩ−ＲＳ、同期信号（ｓｙｎｃｈｒｏｎｉｚａｔｉｏｎ  ｓｉｇｎａｌ（ＳＳ））、メジャメントＲＳ（ＭＲＳ）、モビリティＲＳ（ＭＲＳ）およびビームＲＳ（ＢＲＳ）などの、別の同期信号、参照信号および物理チャネルに適用してもよい。
【００７３】
本開示は、様々なシグナリング方法の例を主に説明したが、本発明の１つ以上の実施形態によるシグナリングは、明示的または暗示的に実行されてもよい。
【００７４】
本開示は、様々なシグナリング方法の例を主に説明したが、本発明の１つ以上の実施形態によるシグナリングは、ＲＲＣシグナリングなどの上位レイヤシグナリングおよび／または下りリンク制御情報（Ｄｏｗｎｌｉｎｋ  Ｃｏｎｔｒｏｌ  Ｉｎｆｏｒｍａｔｉｏｎ（ＤＣＩ））、ＭＡＣ制御要素（Ｃｏｎｔｒｏｌ  Ｅｌｅｍｅｎｔ（ＣＥ））などの下位レイヤシグナリングであってもよい。さらに、本発明の１つ以上の実施形態によるシグナリングは、Ｍａｓｔｅｒ  Ｉｎｆｏｒｍａｔｉｏｎ  Ｂｌｏｃｋ（ＭＩＢ）および／またはＳｙｓｔｅｍ  Ｉｎｆｏｒｍａｔｉｏｎ  Ｂｌｏｃｋ（ＳＩＢ）を使用してもよい。例えば、ＲＲＣ、ＤＣＩ、ＭＡＣ  ＣＥの少なくとも２つを本発明の１つ以上の実施形態によるシグナリングとして組み合わせて使用してもよい。
【００７５】
本開示は、ビームフォーミングされたＲＳ（ビームを用いたＲＳ送信）の例を説明したが、物理信号／チャネルがビームフォーミングされるかどうかは、ＵＥに透過的であってもよい。ビームフォーミングされたＲＳおよびビームフォーミングされた信号は、それぞれＲＳおよび信号と呼ばれてもよい。さらに、ビームフォーミングされたＲＳは、ＲＳリソースと呼ばれてもよい。さらに、ビーム選択は、リソース選択と呼ばれてもよい。さらに、ビームインデックスは、リソースインデックス（インジケータ）またはアンテナポートインデックスと呼ばれてもよい。
【００７６】
本発明の１つ以上の実施形態によるＵＥアンテナは、１次元アンテナ、平面アンテナおよび所定の３次元アンテナを含むＵＥに適用してもよい。
【００７７】
本発明の１つ以上の実施形態では、本開示におけるリソースブロック（ＲＢ）およびサブキャリアは、互いに置き換えられてもよい。サブフレーム、シンボルおよびスロットは、互いに置き換えられてもよい。
【００７８】
上記の例および変形例は、互いに組み合わせられてもよく、これらの例の様々な特徴は、様々な組み合わせで互いに組み合わせられる。本開示は、本明細書に開示される特定の組み合わせに限定されない。
【００７９】
本開示では、限られた数の実施形態のみについて説明したが、この開示の利益を有する当業者であれば、本発明の範囲から逸脱することなく様々な他の実施形態が考案され得ることを理解するであろう。したがって、本開示の範囲は、特許請求の範囲の記載によってのみ限定されるべきである。